(57)【要約】 【課題】  伝送路に電流を供給する出力回路の構成を簡素化することができ、簡単な構成で一対の伝送路間に接続される抵抗の両端部間の電位差を調整することができる信号伝送装置を提供する。【解決手段】  一対の伝送路６の各伝送路６ａ，６ｂ間に第１抵抗部１９および第２抵抗部２４が電気的に接続される。送信バッファ１８は、所定の入力信号に基づいて、第１抵抗部１９の一端部２２から他端部２３、および第１抵抗部１９の他端部２３から一端部２２に双方向に電流の向きを変えて、予め定める一定の電流を各伝送路に６ａ，６ｂに供給する。前記伝送路６に供給される予め定める一定の電流は、第２抵抗部２４によって分流され、第１抵抗部１９に流れる電流を小さくなり、これによって第１抵抗部１９の両端部間の電位差を小さくすることができる。第２抵抗部２４を設けることによって、第１抵抗部１９の両端部間の電位差を容易に調整することができる。【選択図】      図１
2005150929.tif 000002
【特許請求の範囲】
【請求項１】
一対の伝送路と、
予め定める第１の抵抗値を有し、各伝送路間に電気的に接続される第１抵抗と、
所定の入力信号に基づいて、第１抵抗の一端部から他端部、および第１抵抗の他端部から一端部に双方向に電流の向きを変えて、各伝送路に予め定める一定の電流を供給する電流供給部と、
第１抵抗の両端部間の電位差が予め定める電位差以上であって、第１抵抗の一端部の電位が他端部の電位以上である場合に、予め定める第１レベル信号を出力し、第１抵抗の他端部の電位が一端部の電位以上である場合に、予め定める第１レベル信号とは異なる予め定める第２レベル信号を出力して所定の出力信号を生成する信号生成部と、
予め定める第２の抵抗値を有し、各伝送路間に電気的に接続され、電流供給部から各伝送路に供給される前記予め定める一定の電流を分流する第２抵抗とを含むことを特徴とする信号伝送装置。
【請求項２】
前記第２抵抗は、一対の伝送路の電流供給部寄りの端部に設けられることを特徴とする請求項１記載の信号伝送装置。
【請求項３】
請求項２記載の信号伝送装置と、
所定の情報の送信または受信を無線で行う通信部とを有することを特徴とする無線通信装置。
【請求項４】
予め定める第１の抵抗値を有し、一対の伝送路を電気的に接続する第１抵抗の一端部から他端部、および他端部から一端部に双方向に電流の向きを変えるように、所定の入力信号に基づいて一対の伝送路に予め定める一定の電流を供給し、第１抵抗の両端部間の電位差が予め定める電位差以上であって、かつ第１抵抗の一端部の電位が他端部の電位以上である場合に、予め定める第１信号を出力し、第１抵抗の他端部の電位が一端部の電位以上である場合に、予め定める第１信号とは異なる予め定める第２信号を出力することによって所定の出力信号を生成する信号伝送方法であって、
予め定める抵抗値を有する第２抵抗によって一対の伝送路を電気的に接続して、一対の伝送路に供給される前記予め定める一定の電流を分流することを特徴とする信号伝送方法。
【発明の詳細な説明】
【技術分野】
【０００１】
本発明は、一対の伝送路の各伝送路間に電気的に接続される抵抗に流す電流の向きを変えることによって所定の信号を伝送する信号伝送装置および信号伝送方法に関する。
【背景技術】
【０００２】
たとえば低電圧差動通信（Low Voltage Differential Signaling：略称ＬＶＤＳ）など、差動信号を用いて所定の信号を伝送する信号伝送装置では、入力される所定の入力信号に基づいて、一対の伝送路の各伝送路間に電気的に接続される抵抗に、この抵抗に流れる電流の向きが変わるように伝送路に予め定める一定の電流を供給し、前記抵抗の両端部間の電位に基づいて、所定の出力信号を出力する。前記所定の入力信号および所定の出力信号は、高レベル信号および低レベル信号を含むデジタル信号で表される。
【０００３】
前述したような信号伝送装置における第１の従来の技術では、一対の伝送路に接続され、所定の入力信号に基づいて各伝送路に電流を供給するＬＶＤＳ構成の出力回路を有し、この出力回路に電流調整用ＭＯＳＦＥＴ（Metal Oxide Semiconductor Field Effect
Transistor）を設けて、電流調整用ＭＯＳＦＥＴによって１または複数の電流源を出力回路に接続して、出力回路から各伝送路に供給する電流を調整している（たとえば特許文献１参照）。
【０００４】
また前述したような信号伝送装置における第２の従来の技術では、一対の伝送路に接続され、各伝送路に所定の入力信号に基づいて電流を供給する出力回路に、電圧源から供給される電圧を調整するための電圧振幅調整回路および抵抗を設け、前記抵抗の抵抗値を変えることによって各伝送路に供給する電流を調整している（たとえば特許文献２参照）。
【０００５】
【特許文献１】特開２０００−１３４０８２号公報
【特許文献２】特開２０００−１８１５９１号公報
【発明の開示】
【発明が解決しようとする課題】
【０００６】
第１および第２の従来の技術では、各伝送路に電流を供給する出力回路によって各伝送路に供給する電流を調整することによって、伝送路間に電気的に接続される抵抗の両端部間の電位を調整することができるが、出力回路に電流調整用ＭＯＳＦＥＴ、電圧振幅調整回路および抵抗などを設ける必要があり、前記出力回路の構成が複雑になるという問題がある。
【０００７】
本発明の目的は、伝送路に電流を供給する部分の構成を簡素化することができ、簡単な構成で一対の伝送路間に接続される抵抗の両端部間の電位差を調整することができる信号伝送装置および信号伝送方法を提供することである。
【課題を解決するための手段】
【０００８】
本発明は、一対の伝送路と、
予め定める第１の抵抗値を有し、各伝送路間に電気的に接続される第１抵抗と、
所定の入力信号に基づいて、第１抵抗の一端部から他端部、および第１抵抗の他端部から一端部に双方向に電流の向きを変えて、各伝送路に予め定める一定の電流を供給する電流供給部と、
第１抵抗の両端部間の電位差が予め定める電位差以上であって、第１抵抗の一端部の電位が他端部の電位以上である場合に、予め定める第１レベル信号を出力し、第１抵抗の他端部の電位が一端部の電位以上である場合に、予め定める第１レベル信号とは異なる予め定める第２レベル信号を出力して所定の出力信号を生成する信号生成部と、
予め定める第２の抵抗値を有し、各伝送路間に電気的に接続され、電流供給部から各伝送路に供給される前記予め定める一定の電流を分流する第２抵抗とを含むことを特徴とする信号伝送装置である。
【０００９】
本発明に従えば、第１抵抗は、一対の伝送路の各伝送路間に電気的に接続される。第１抵抗が一対の伝送路のうちの一方に接続される接続部が、第１抵抗の一端部であり、第１抵抗が一対の伝送路のうちの他方に接続される接続部が、第１抵抗の他端部である。電流供給部は、所定の入力信号が入力されることによって、この所定の入力信号に基づいて、第１抵抗の一端部から他端部、および第１抵抗の他端部から一端部に双方向に電流の向きを変えて、予め定める一定の電流、つまり一定の電流値を有する電流を各伝送路に供給する。前記所定の入力信号は、高レベル信号および低レベル信号で表されるデジタル信号である。第１抵抗の一端部から他端部に向かって電流が流れると、第１抵抗の両端部間には、予め定める第１の抵抗値と、電流とに応じた電位差が発生して第１抵抗の一端部の電位が他端部の電位以上となる。また第１抵抗の他端部から一端部に向かって電流が流れると、第１抵抗の両端部間には、予め定める第１の抵抗値と、電流とに応じた電位差が発生して第１抵抗の他端部の電位が一端部の電位以上となる。信号生成部は、第１抵抗の両端部間の電位差が予め定める電位差以上であって、第１抵抗の一端部の電位が他端部の電位以上である場合に、第１レベル信号を出力し、第１抵抗の他端部の電位が一端部の電位以上である場合に、予め定める第１レベル信号とは異なる予め定める第２レベル信号を出力することによって、所定の出力信号を生成する。伝送路を流れる電流にノイズ成分が含まれている場合、この電流が第１抵抗を流れることによって発生する第１抵抗の両端部の電位に同様なノイズ成分が含まれる。たとえば前記ノイズ成分によって、第１抵抗の一端部の電位が上昇すれば他端部の電位も上昇し、第１抵抗の一端部の電位が降下すれば他端部の電位も降下することとなる。つまり伝送路に流れる電流にノイズ成分が含まれていたとしても、このノイズ成分によって、第１抵抗の一端部および他端部間の電位差は変わらない。信号生成部は、第１抵抗の両端部間の電位差および一端部の電位および他端部の電位の大きさに基づいて所定の出力信号を生成するので、ノイズ成分によって伝送される所定の信号が変化してしまうことが防止される。
【００１０】
第２抵抗は、一対の伝送路間に電気的に接続される。つまり第２抵抗は、第１抵抗と並列に伝送路に接続される。電流供給部から一対の伝送路に供給される予め定める一定の電流は、第１抵抗と第２抵抗とによって分流される。第１抵抗の一端部から他端部、および第１抵抗の他端部から一端部に双方向に電流の向きを変えて、電流出力部が予め定める一定の電流を伝送路に流すと、予め定める一定の電流は第２抵抗によって分流され、第１抵抗および第２抵抗にはそれぞれ予め定める一定の電流が分流された所定の電流が流れる。したがって、第１抵抗に流れる電流を小さくすることができ、第１抵抗の両端部間の電位差を小さくすることができる。これによって信号生成部の入力特性に応じて、第１抵抗の両端部間の電位差を容易に調整することができる。
【００１１】
本発明では、各伝送路に供給する電流を変化させるような構成を電流供給部に設ける必要がないので、第１および第２の従来の技術と比較して、伝送路に電流を出力する電流出力部の構成を簡素化することができる。また第２抵抗の予め定める第２の抵抗値を選択することによって、電流出力部が出力する予め定める一定の電流の電流値、および信号生成部が入力可能な電圧値の設定、および第１の抵抗の予め定める抵抗値を変更することなく、信号生成部が入力可能な電位差に応じて、第１抵抗の両端部間の電位差を容易に調整することができる。
【００１２】
また第１抵抗の両端部間の電位差を小さくすることができるので、第１抵抗の一端部の電位が他端部の電位よりも高くなる第１状態から、第１抵抗の他端部の電位が一端部の電位よりも高くなる第２状態に切換わる、および第２状態から第１状態に切換わるスルーレートを小さくすることができる。したがって、第１抵抗に流れる電流の向きをより早く切り換えて、所定の信号を伝送することができるので、信号の伝送速度を向上させることができる。
【００１３】
また本発明は、前記第２抵抗は、一対の伝送路の電流供給部寄りの端部に設けられることを特徴とする。
【００１４】
本発明に従えば、第２抵抗が伝送路の電流供給部寄りの端部に設けられるので、第２抵抗が設けられる伝送路の電流供給部寄りの端部から、伝送路の信号生成部寄りの端部までの伝送路に流れる電流の電流値を、電流供給部が各伝送路に供給する予め定める一定の電流の電流値未満にすることができる。伝送路は、たとえばプリント配線基板に形成されるプリント配線、フレキシブルプリント配線基板に形成されるプリント配線などを含んで実現される。これらのプリント配線などの伝送路に過電流が流れると、発熱によって伝送路が切断されてしまうおそれがあるので、伝送路の太さは、この伝送路に流れる電流によって決定される。本発明では、伝送路の信号生成部寄りの端部までの伝送路に流れる電流を、電流供給部が各伝送路に供給する予め定める一定の電流よりも小さくすることができるので、この部分の伝送路を、他の部分の伝送路よりも細く形成することができる。また伝送路に電流を流すと、伝送路から磁界が放射されるが、前述したように伝送路に流れる電流を小さくすることによって、この部分から発生する磁界を小さくすることができる。これによって伝送路がノイズ源となるおそれを低減することができる。
【００１５】
また本発明は、前記信号伝送装置と、
所定の情報の送信または受信を無線で行う通信部とを有することを特徴とする無線通信装置である。
【００１６】
本発明に従えば、信号生成部は、第１抵抗の両端部の電位に基づいて所定の出力信号を生成する。通信部によって所定の情報を無線で送信または受信するときに、通信部からの電波が伝送部で受信され、各伝送路に流れる電流にノイズが重畳される場合があるが、第１抵抗の両端部の電位には、同様のノイズ成分が含まれることになるので、第１抵抗の両端部の電位差、およびその電位の大小関係などは変化しない。したがって、通信部が伝送路の近くにある場合であっても、伝送路を介して伝送される所定の信号が変化してしまうことが防止される。特にたとえば折り畳み型の携帯電話装置などで、一方の筐体内に設けられる処理装置と、他方の筐体内に設けられる処理装置との間で所定の信号を伝送する場合に、伝送路が長くなり、この伝送路がアンテナとして機能してしまうおそれがあるが、このような場合であっても伝送される所定の信号に含まれるノイズ成分によって、所定の信号が変化しまうことが防止される。
【００１７】
また本発明は、予め定める第１の抵抗値を有し、一対の伝送路を電気的に接続する第１抵抗の一端部から他端部、および他端部から一端部に双方向に電流の向きを変えるように、所定の入力信号に基づいて一対の伝送路に予め定める一定の電流を供給し、第１抵抗の両端部間の電位差が予め定める電位差以上であって、かつ第１抵抗の一端部の電位が他端部の電位以上である場合に、予め定める第１信号を出力し、第１抵抗の他端部の電位が一端部の電位以上である場合に、予め定める第１信号とは異なる予め定める第２信号を出力することによって所定の出力信号を生成する信号伝送方法であって、
予め定める抵抗値を有する第２抵抗によって一対の伝送路を電気的に接続して、一対の伝送路に供給される前記予め定める一定の電流を分流することを特徴とする信号伝送方法である。
【００１８】
本発明に従えば、第１抵抗によって一対の伝送路のそれぞれの伝送路間を電気的に接続し、第１抵抗の一端部から他端部、および他端部から一端部に双方向に電流の向きを変えるように所定の入力信号に基づいて一対の伝送路に予め定める一定の電流を供給する。第１抵抗が一対の伝送路のうちの一方に接続される接続部が、第１抵抗の一端部であり、第１抵抗が一対の伝送路のうちの他方に接続される接続部が、第１抵抗の他端部である。前記一定の電流は、予め定める電流値を有する。また前記所定の入力信号は、高レベル信号および低レベル信号で表されるデジタル信号である。第１抵抗の一端部から他端部に向かって電流が流れると、第１抵抗の両端部間には電圧が発生して第１抵抗の一端部の電位が他端部の電位以上となる。また第１抵抗の他端部から一端部に向かって電流が流れると、第１抵抗の両端部間には電圧が発生して第１抵抗の他端部の電位が一端部の電位以上となる。第１抵抗の両端部間の電位差が予め定める電位差以上であって、第１抵抗の一端部の電位が他端部の電位以上である場合に、第１レベル信号を出力し、第１抵抗の他端部の電位が一端部の電位以上である場合に、予め定める第１レベル信号とは異なる予め定める第２レベル信号を出力することによって、所定の出力信号が生成される。伝送路を流れる電流にノイズ成分が含まれている場合、この電流が第１抵抗を流れることによって発生する第１抵抗の両端部の電位に同様なノイズ成分が含まれる。たとえば前記ノイズ成分によって、第１抵抗の一端部の電位が上昇すれば他端部の電位も上昇し、第１抵抗の一端部の電位が降下すれば他端部の電位も降下することとなる。つまり伝送路に流れる電流にノイズ成分が含まれていたとしても、このノイズ成分によって、第１抵抗の一端部および他端部間の電位差は変わらない。信号生成部は、第１抵抗の両端部間の電位差および一端部の電位および他端部の電位の大きさに基づいて所定の出力信号を生成するので、ノイズ成分によって伝送される所定のデータが変化してしまうことが防止される。
【００１９】
第２抵抗は、一対の伝送路間に電気的に接続される。つまり第２抵抗は、第１抵抗と並列に伝送路に接続される。一対の伝送路に供給される予め定める一定の電流は、第１抵抗と第２抵抗とによって分流される。第１抵抗の一端部から他端部、および第１抵抗の他端部から一端部に双方向に電流の向きを変えて、電流出力部が予め定める一定の電流を伝送路に流すと、予め定める一定の電流は第２抵抗によって分流され、第１抵抗および第２抵抗にはそれぞれ予め定める一定の電流が分流された所定の電流が流れる。したがって、第１抵抗に流れる電流を小さくすることができ、第１抵抗の両端部間の電位差を小さくすることができる。第１抵抗の両端部間の電位差を小さくすることができるので、第１抵抗の一端部の電位が他端部の電位よりも高くなる第１状態から、第１抵抗の他端部の電位が一端部の電位よりも高くなる第２状態に切換わる、および第２状態から第１状態に切換わるスルーレートを小さくすることができる。したがって、第１抵抗に流れる電流の向きをより早く切り換えて、所定の信号を伝送することができるので、信号の伝送速度を向上させることができる。
【発明の効果】
【００２０】
本発明によれば、第２抵抗の予め定める第２の抵抗値を選択することによって、電流出力部が出力する予め定める一定の電流の電流値、および信号生成部が入力可能な電圧値の設定、および第１の抵抗の予め定める抵抗値を変更することなく、第１抵抗の両端部間の電位差を信号生成部が所定の出力信号を生成するために最適な電位差に容易に調整することができる。これによって、たとえば電流出力部および信号生成部を電気回路で実現する場合に、電流出力部および信号生成部をそれぞれ専用に設計する必要がなくなり、さらに電流出力部の構成を簡素化することができるので、装置の製造コストを低減することができる。また第１抵抗に流れる電流の向きをより早く切り換えて、所定の信号を伝送することができるので、信号の伝送速度を向上させることができる。またノイズ成分によって伝送される所定のデータが変化してしまうことが防止されるので、信号の伝送の精度を向上させることができる。
【００２１】
本発明によれば、第２抵抗が伝送路の電流供給部寄りの端部に設けられるので、第２抵抗が設けられる伝送路の電流供給部寄りの端部から、伝送路の信号生成部寄りの端部までの伝送路に流れる電流を、電流供給部が各伝送路に供給する予め定める一定の電流未満にすることができ、この部分の伝送路を、他の部分の伝送路よりも細く形成することができる。また伝送路に電流を流すと、伝送路から磁界が放射されるが、前述したように伝送路に流れる電流を小さくすることによって、この部分から発生する磁界を小さくすることができる。これによって伝送路がノイズ源となるおそれを低減することができる。
【００２２】
本発明によれば、通信部が伝送路の近くにある場合であっても、伝送路を介して伝送される所定の信号が変化してしまうことが防止されるので、無線通信装置に好適に実施することができる。
【００２３】
本発明によれば、第２抵抗の予め定める第２の抵抗値を選択することによって、第１抵抗の両端部間の電位差を容易に調整することができる。予め定める一定の電流を変更しなくても、第１抵抗の両端部の電位差を容易に調整することができる。また第１抵抗に流れる電流の向きをより早く切り換えて、所定の信号を伝送することができるので、信号の伝送速度を向上させることができる。またノイズ成分によって伝送される所定のデータが変化してしまうことが防止されるので、信号の伝送の精度を向上させることができる。
【発明を実施するための最良の形態】
【００２４】
図１は、本発明の実施の一形態の信号伝送装置１の構成を模式的に示す図である。信号伝送装置１は、予め定める第１の処理装置２から、予め定める第２の処理装置３に所定の信号を伝送する。本実施の形態では予め定める第１の処理装置２は、中央演算処理装置（
Central Processing Unit：略称ＣＰＵ）であり、予め定める第２の処理装置３は表示装置である。前記所定の信号は、たとえば所定の情報を表すデータ信号およびクロック信号などを含む。前記所定の情報は、画像データ、動画データおよび文字データなどを含む。予め定める第１の処理装置２は、第１の基板４に設けられ、予め定める第２の処理装置３は、第１の基板４とは異なる第２の基板５に設けられる。第１および第２の基板４，５は、たとえばＦＲＰ（Fiber Reinforced Plastic）などの樹脂基板に所定のプリント配線が形成されるプリント配線基板によって実現される。前記第１および第２の基板４，５に形成される所定のプリント配線は、導電性を有する。
【００２５】
信号伝送装置１には、予め定める第１の処理装置２から所定の信号であるデータ信号が与えられ、信号伝送装置１はこのデータ信号を伝送して、予め定める第２の処理装置３に与える。本実施の形態ではデータ信号は、予め定める第１の処理装置２からパラレル伝送されて信号伝送装置１に与えられる。また図１では、データ信号を伝送する部分についてのみ示している。
【００２６】
信号伝送装置１は、一対の伝送路６ａ，６ｂと、送信部７と、受信部８とを含む。一対の伝送路６ａ，６ｂは、送信部７と受信部８と間にわたって設けられ、送信部７と受信部８とを電気的に接続する。本実施の形態において、送信は、出力と同義であり、受信は入力と同義である。より詳細には、送信部７と受信部８とは、予め定める距離だけ離間して配置され、一対の伝送路６ａ，６ｂは、送信部７の後述する送信バッファ１８と、受信部８の後述する受信バッファ２０との間にわたって延びている。一対の伝送路６ａ，６ｂは、直線状に延びていてもよいし、折れ曲がっていてもよい。各伝送路６ａ，６ｂは、たとえば金（Ａｕ）および銅（Ｃｕ）などの導電性を有する材料によって形成される。本実施の形態において一対の伝送路６ａ，６ｂは、第１プリント配線部９と、第２プリント配線部１０と、配線接続部１１と、第１コネクタ部１２と、第２コネクタ部１３とを含む。
【００２７】
第１プリント配線部９は、一対の第１プリント配線９ａ，９ｂを含む。第１プリント配線９ａ，９ｂは、第１基板４に形成される。第２プリント配線部１０は、一対の第２プリント配線１０ａ，１０ｂを含む。第２プリント配線１０ａ，１０ｂは、第２基板５に形成される。配線接続部１１は、接続配線１１ａ，１１ｂを含む。接続配線１１ａ，１１ｂは、第１および第２基板９，１０に形成される第１プリント配線９ａ，９ｂおよび第２プリント配線１０ａ，１０ｂを電気的に接続する。接続配線１１ａ，１１ｂは、フレキシブルプリント配線基板１４に形成されるプリント配線によって実現される。第１コネクタ部１２は、第１基板４とフレキシブルプリント配線基板１４とを着脱自在に連結するとともに、第１プリント配線９ａ，９ｂと接続配線１１ａ，１１ｂとを着脱可能に接続する。第２コネクタ部１３は、第２基板５とフレキシブルプリント配線基板１４とを着脱自在に連結するとともに、第２プリント配線１０ａ，１０ｂと接続配線１１ａ，１１ｂとを着脱可能に接続する。さらに各伝送路６ａ，６ｂは、第１プリント配線６ａ，６ｂと送信バッファ１８とを電気的に接続する送信部配線１５ａ，１５ｂと、第２プリント配線部１０ａ，１０ｂと受信バッファ２０とを電気的に接続する受信部配線１６ａ，１６ｂとを含む。本実施の形態において、一方の伝送路６ａに含まれる各配線には、参照符号に添え字ａを付し、他方の伝送路６ｂに含まれる各配線には、参照符号に添え字ｂを付している。
【００２８】
送信部７は、第１信号変換部１７と、送信バッファ１８とを含む。送信部７は、たとえばＩＣ（Integrated Circuit）チップなどの集積回路装置によって実現される。第１信号変換部１７と、予め定める第１の処理装置２と複数の配線によって接続される。第１信号変換部１７には、前記複数の配線を介して、予め定める第１の処理装置２からデータ信号がパラレル伝送されて与えられる。第１信号変換部１７は、パラレル伝送されて与えられるデータ信号をパラレルシリアル変換して、シリアル伝送して送信バッファ１８に与える。つまり第１信号変換部１７は、たとえばシフトレジスタを含み、パラレルで与えられるデータ信号を、シリアルで出力する。
【００２９】
送信バッファ１８は、電流供給部であって、第１信号変換部１７からシリアル伝送され、送信バッファ１８に与えられる所定の入力信号であるデータ信号に基づいて、各伝送路６ａ，６ｂに予め定める一定の電流を供給する。前記予め定める一定の電流の電流値ｉは、たとえば３．５ミリアンペア（ｍＡ）に選ばれる。送信バッファ１８は、データ信号に基づいて、一方の伝送路６ａ側から電流を供給する、または他方の伝送路６ｂ側から電流を供給する。前記送信バッファ１８に入力されるデータ信号は、高レベル信号と、低レベル信号とを含む。前記高レベル信号は、低レベル信号と比較して電圧が高い状態の信号である。前記高レベル信号および低レベル信号は、予め定める電圧で表され、たとえば高レベル信号は、３ボルト（Ｖ）で表され、低レベル信号は、０ボルト（Ｖ）で表される。
【００３０】
受信部８は、第１抵抗部１９と、受信バッファ２０と、第２信号変換部２１とを含む。受信部８は、たとえばＩＣチップなどの集積回路装置によって実現される。第１抵抗部１９は、各伝送路６ａ，６ｂ間に電気的に接続される。具体的には、第１抵抗部１９は、受信部配線１６ａ，１６ｂ間に電気的に接続される。第１抵抗部１９が一対の伝送路６ａ，６ｂのうち一方の伝送路６ａと接続される接続部を、第１抵抗部１９の一端部２２とする。また第１抵抗部１９が一対の伝送路６ａ，６ｂのうち他方の伝送路６ｂと接続される接続部を、第１抵抗部１９の他端部２３とする。第１抵抗部１９は、抵抗器によって実現され、予め定める第１の抵抗値ｒ１を有する。予め定める第１の抵抗値ｒ１は、たとえば１００オーム（Ω）に選ばれる。第１抵抗部１９は、一対の伝送路６ａ，６ｂの受信バッファ２０寄りの端部２９に設けられる。受信バッファ２０より一対の伝送路６ａ，６ｂの線路長をＬとすると、第１抵抗部１９は、線路長Ｌの中央よりも受信バッファ２０側に設けられ、さらに好ましくは、受信バッファ２０と接続される一対の伝送路６ａ，６ｂの端部２７からＬ／１０の領域に設けられ、受信バッファ２０に可能な限り近接して配置される。
【００３１】
受信バッファ２０は、データ生成部であって、第１抵抗部１９の両端部間の電位差が予め定める電位差以上であって、第１抵抗部１９の一端部２２の電位が他端部２３の電位以上である場合に、予め定める第１レベル信号を出力する。また受信バッファ２０は、第１抵抗部１９の両端部間の電位差が予め定める電位差以上であって、第１抵抗部１９の他端部２３の電位が一端部２２の電位以上である場合に、予め定める第１レベル信号とは異なる予め定める第２レベル信号を出力する。受信バッファ２０は、第１レベル信号および第２レベル信号を出力することによって所定の出力信号であるデータ信号を生成する。受信バッファ２０は、所定の出力信号を第２信号変換部２１に与える。本実施の形態では、たとえば予め定める第１レベル信号は、予め定める第２レベル信号よりも高レベルの電位を有する信号とする。予め定める第１および第２レベル信号は、予め定める電圧で表され、たとえば予め定める第１レベル信号は、３ボルト（Ｖ）で表され、予め定める第２レベル信号は、０ボルト（Ｖ）で表される。前記受信バッファ２０は、差動増幅器によって実現される。前記所定の出力信号は、所定の入力信号と同様の情報を表す。つまり所定の入力信号として高レベル信号が送信バッファ１８に入力されると、これに対応して受信バッファ２０から出力される所定の出力信号は、高レベル信号である第１レベル信号となる。また所定の入力信号として低レベル信号が送信バッファ１８に入力されると、これに対応して受信バッファ２０から出力される所定の出力信号は、低レベル信号である第２レベル信号となる。受信バッファ２０は、生成したデータ信号をシリアル伝送して、第２信号変換部２１に与える。
【００３２】
第２信号変換部２１は、予め定める第２の処理装置３と複数の配線によって接続される。第２信号変換部２１には、前記複数の配線を介して受信バッファ２０からシリアル伝送されるデータ信号が与えられる。第２信号変換部２１は、シリアル伝送されて入力されるデータ信号をシリアルパラレル変換して、複数の配線を介してパラレル伝送して予め定める第２の処理装置３に与える。つまり第２信号変換部２１は、たとえばシフトレジスタを含み、シリアルで与えられるデータ信号を、パラレルで出力する。
【００３３】
第２抵抗部２４は、一対の伝送路６ａ，６ｂを電気的に接続して、送信バッファ１８から各伝送路６ａ，６ｂに供給される予め定める一定の電流を分流する。第２抵抗部２４は、いわゆる分流抵抗である。第２抵抗部２４は、一対の伝送路６の送信バッファ１８寄りの端部２７に設けられる。第２抵抗部２４は、一対の伝送路６の各伝送路６ａ，６ｂ間に電気的に接続され、第１プリント配線部９ａ，９ｂ間に電気的に接続される。つまり一対の伝送路６の延びる方向の長さをＬとすると、第２抵抗部２４は、長さＬの中央よりも送信バッファ１８側に設けられ、さらに好ましくは送信バッファ１８と接続される一対の伝送路６ａ，６ｂの端部からＬ／１０の領域に設けられる。
【００３４】
第２抵抗部２４が一対の伝送路６のうち一方の伝送路６ａと接続される接続部を、第２抵抗部２４の一端部２５とする。また第２抵抗部２４が一対の伝送路６のうち他方の伝送路６ｂと接続される接続部を、第２抵抗部２４の他端部２６とする。第２抵抗部２４は、抵抗器によって実現され、予め定める第２の抵抗値ｒ２を有する。予め定める第２の抵抗値ｒ２は、たとえば１００オーム（Ω）に選ばれる。
【００３５】
図２は、送信バッファ１８および受信バッファ２０間における所定の信号の伝送を説明する図である。所定の信号は、差動信号を用いて送信される。送信バッファ１８は、電流源３１から予め定める一定の電流が与えられるスイッチ部３２を含んで構成される。スイッチ部３２は、第１〜第４スイッチング素子３３〜３６を含む。第１〜第４スイッチング素子３３〜３６は、たとえば半導体スイッチによって実現され、本実施の形態では電界効果型トランジスタによって実現される。本実施の形態で用いられる電界効果型トランジスタは、ゲートに予め定める電圧値以上の電圧を印加されるとソースおよびドレイン間が導通し、ゲートに予め定める電圧値未満の電圧が印加されるとソースおよびドレイン間が非導通となる。
【００３６】
第１および第２スイッチング素子３３，３４は直列に接続され、第３および第４スイッチング素子３５，３６は直列に接続される。具体的には、第１スイッチング素子３３のソースと、第２スイッチング素子３４のドレインとが電気的に接続され、第３スイッチング素子３５のソースと、第４スイッチング素子３６のドレインとが電気的に接続される。また第１スイッチング素子３３の第２スイッチング素子３４が接続される側とは反対側の端子は、電流源３１に接続され、第３スイッチング素子３５の第４スイッチング素子３６が接続される側とは反対側の端子は、電流源３１に接続される。具体的には、第１スイッチング素子３３のドレインと、第３スイッチング素子３５のドレインとが、電流源３１に接続される。第２スイッチング素子３４の第１スイッチング素子３３が接続される側とは反対側の端子と、第４スイッチング素子３６の第３スイッチング素子３５が接続される側とは反対側の端子は、ともにグラウンドに接続される。
【００３７】
前述した一対の伝送路６ａ，６ｂのうち、一方の伝送路６ａの一端部は、第３スイッチング素子３５と第４スイッチング素子３６との間、具体的には、第３スイッチング素子３５のソースと第４スイッチング素子３６のドレインとに電気的に接続される。また他方の伝送路６ｂの一端部は、第１スイッチング素子３３と第２スイッチング素子３４との間、具体的には第１スイッチング素子３３のソースと第２スイッチング素子３４のドレインとに電気的に接続される。第１および第４スイッチング素子３３，３６のゲートは入力端子４０に接続され、第２および第３スイッチング素子３４，３５のゲートは、インバータ３７を介して入力端子４０に接続される。
【００３８】
受信バッファ２０は、前述したように差動増幅器によって実現される。差動増幅器の正入力端子、つまり非反転入力端子３８は、一方の伝送路６ａの他端部に接続され、具体的には第１抵抗部１９の一端部２２に電気的に接続される。また差動増幅器の負入力端子、つまり反転入力端子３９は、他方の伝送路６ｂの他端部に接続され、具体的には第１抵抗部１９の他端部２３に電気的に接続される。
【００３９】
入力端子４０を介して、予め定める電圧値以上の電圧によって表される高レベル信号が送信バッファ１８に入力されると、第１および第４スイッチング素子３３，３６が非導通となり、第２および第３スイッチング素子３４，３５が導通する。これによって、電流源３１からの予め定める一定の電流は、第３スイッチング素子３３、一方の伝送路６ａ、第１抵抗部１９と第２抵抗部２４、他方の伝送路６ｂおよび第２スイッチング素子３６の順番に流れる。具体的には第１抵抗部１９では、一端部２２から他端部２３に向かって電流が流れ、第２抵抗部２４では一端部２５から他端部２６に向かって電流が流れる。これによって第１抵抗部１９の一端部２２の電位が他端部２３の電位に対して高くなる。
【００４０】
また入力端子４０を介して、予め定める電圧値未満の電圧を有する低レベル信号が送信バッファ１８に入力されると、第１および第４スイッチング素子３３，３６が導通し、第２および第３スイッチング素子３４，３５が非導通となる。これによって、電流源３１からの予め定める一定の電流は、第１スイッチング素子３３、他方の伝送路６ｂ、第１抵抗部１９と第２抵抗部２４、一方の伝送路６ａおよび第４スイッチング素子３６の順番に流れる。具体的には第１抵抗部１９では、他端部２３から一端部に向かって電流が流れ、第２抵抗では他端部２６から一端部２５に向かって電流が流れる。これによって第１抵抗部１９の一端部２２の電位が他端部２３の電位に対して低くなる。
【００４１】
受信バッファ２０は、非反転入力端子３８および反転入力端子３９に与えられる電位に対応して、第１レベル信号である高レベル信号および第２レベル信号である低レベル信号を出力する。受信バッファ２０は、高い入力インピーダンスを有し、ここでは受信バッファ２０にはほとんど電流が入力されないものとして取り扱う。前記受信バッファ２０の入力インピーダンスは、たとえば１ギガオーム（ＧΩ）に選ばれる。
【００４２】
受信バッファ２０は、非反転入力端子３８および反転入力端子３９に与えられる電位差が、予め定める電位差以上であり、かつ非反転入力端子３８に与えられる電位が、反転入力端子３９に与えられる電位以上である場合に、第１レベル信号を出力する。本実施の形態において第１レベル信号は、高レベル信号である。また受信バッファ２０は、非反転入力端子３８および反転入力端子３９に与えられる電位差が、予め定める電位差以上であり、かつ反転入力端子３９に与えられる電位が、非反転入力端子３８に与えられる電位以上である場合に、第２レベル信号を出力する。本実施の形態において第２レベル信号は、低レベル信号である。以上のように、送信バッファ１８に与えられる所定のデータに対応して、第１〜第４スイッチング素子３３〜３６が動作することによって、受信バッファ２０は、送信バッファ１８に与えられるデータ信号と同様のデータ信号を出力することができる。
【００４３】
前述の送信バッファ１８から一対の伝送路６ａ，６ｂに供給される予め定める一定の電流は、第１抵抗部１９と第２抵抗部２４とによって分流される。したがって、第１抵抗部１９に流れる電流の電流値ｉ１を、予め定める一定の電流の電流値ｉ０未満にすることができ、これによって第１抵抗部１９の両端部間の電位差を小さくすることができる。第１抵抗部１９に流れる電流の電流値をｉ１とし、予め定める第２の抵抗値をｒ２とし、第２抵抗部２４に流れる電流の電流値をｉ２とすると、式１および式２が成り立つ。
ｉ０＝ｉ１＋ｉ２                                                …（１）
ｒ１×ｉ１＝ｒ２×ｉ２                                          …（２）
【００４４】
式１および式２から、第１抵抗部１９に流れる電流の電流値ｉ１を求めると、式３が成り立つ。
ｉ１＝ｒ１×ｉ０／（ｒ１＋ｒ２）                                …（３）
【００４５】
式３から、第２抵抗部２４を設けることによって、予め定める第１抵抗部１９に流れる電流の電流値ｉ１を、予め定める電流ｉのｒ１／（ｒ１＋ｒ２）倍にすることができる。これによって、第１抵抗部１９の両端部間の電位差を、予め定める一定の電流ｉ０が第１抵抗部１９に流れる場合のｒ１／（ｒ１＋ｒ２）倍にすることができる。したがって、第２抵抗部２４を設けることによって、受信バッファ２０が入力可能な電位差、つまり差動増幅器の入力電圧の特性に応じて、第１抵抗部１９の両端部間の電位差を容易に調整することができる。
【００４６】
たとえば電流源３１が送信バッファ１８に与える予め定める一定の電流の電流値ｉ０が固定であり、受信バッファ２０の非反転入力端子３８および反転入力端子３９に入力する電位の許容範囲と、第１抵抗部１９の抵抗値ｒ１とが決定されている場合に、第２抵抗部２４を設けることによって、送信部７および受信部８の構成および第１抵抗部１９の抵抗値ｒ１を変更することなく、第１抵抗部１９の両端部間の電位差を所望の電位差に調整することができる。これによって、たとえば送信バッファ１８および受信バッファ２０をそれぞれ専用に設計する必要がなくなり、さらに第１および第２の従来の技術と比較して、送信バッファ１８の構成を簡素化することができるので、装置の製造コストを低減することができる。
【００４７】
また第２抵抗部２４が一対の伝送路６ａ，６ｂの受信バッファ２０寄りの端部２７に設けられるので、第２抵抗部２４が設けられる一対の伝送路６ａ，６ｂの受信バッファ２０寄りの端部２７から、一対の伝送路６ａ，６ｂの受信バッファ２０寄りの端部２９までに流れる電流の電流値を、送信バッファ１８が各伝送路６ａ，６ｂに供給する予め定める一定の電流の電流値未満にすることができる。前述したように一対の伝送路６ａ，６ｂは、第１および第２プリント配線部９，１０、配線接続部１１、送信部配線１５、および受信部配線１６を含む。これらのプリント配線などによって実現される一対の伝送路６ａ，６ｂに加電流が流れると、発熱によって各伝送路６ａ，６ｂが切断されてしまうおそれがあるので、各伝送路６ａ，６ｂの太さ、言い換えれば伝送路の延びる方向に垂直な断面積は、この各伝送路６ａ，６ｂに流れる電流の大きさによって決定される。本発明では、一対の伝送路６ａ，６ｂの第２抵抗部２４が接続される部位から受信バッファ２０寄りの端部２９までの一対の伝送路６に流れる電流の電流値を、送信バッファ１８が各伝送路６ａ，６ｂに供給する予め定める一定の電流の電流値ｉ０よりも小さくすることができるので、この部分の各伝送路６ａ，６ｂを、残余の部分の各伝送路６ａ，６ｂよりも細く形成することができる。したがって、フレキシブルプリント配線基板１４に形成される配線接続部１１から受信バッファ２０までの一対の伝送路６ａ，６ｂを細く形成することができる。フレキシブルプリント配線基板１４に形成される接続配線１１ａ，１１ｂを細くすることができるので、フレキシブルプリント配線基板１４で接続配線１１ａ，１１ｂが形成される領域をより小さくすることができる。これによってフレキシブルプリント配線基板１４をより小形化することができる。
【００４８】
また一対の伝送路６に流れる電流を小さくすることができるので、各伝送路６ａ，６ｂ電流が流れることによって各伝送路６ａ，６ｂから放出される磁界を低減させることができる。したがって伝送路６ａ，６ｂから放出される磁界によって、予め定める第１および第２の処理装置２，３が誤動作することが防止される。
【００４９】
また各伝送路６ａ，６ｂは、互いに一定の間隔Ｗを保って平行に形成される。前記一定の間隔Ｗは、たとえば０．１ミリメートル（ｍｍ）に選ばれる。これによって、各伝送路６ａ，６ｂに電流が流れたとしても、各伝送路６ａ，６ｂに流れる電流の向きは反対となる。したがって、各伝送路６ａ，６ｂから外方に放出される磁界が互いに相殺しあい、放射ノイズを低減することができる。
【００５０】
また前述した構成によって、一対の伝送路６ａ，６ｂを流れる電流にノイズ成分が含まれている場合、この電流が第１抵抗部１９を流れることによって発生する第１抵抗部１９の両端部の電位に同様なノイズ成分が含まれる。たとえば前記ノイズ成分によって、第１抵抗部１９の一端部２２の電位が上昇すれば他端部２３の電位も上昇し、第１抵抗部１９の一端部２２の電位が降下すれば他端部２３の電位も降下することとなる。つまり一対の伝送路６に流れる電流にノイズ成分が含まれていたとしても、このノイズ成分によって、第１抵抗部１９の一端部２２および他端部２３間の電位差は変化しない。受信バッファ２０は、第１抵抗部１９の両端部間の電位差および一端部２２の電位および他端部２３の電位の大きさに基づいて所定の出力信号を生成するので、ノイズ成分によって伝送される所定の入力信号が変化してしまうことが防止される。したがって、信号の伝送の信頼性を向上させることができる。
【００５１】
また信号伝送装置１では、第１抵抗部１９の両端部間の電位差を小さくすることができるので、第１抵抗部１９の一端部２２の電位が他端部の電位よりも高くなる第１状態から、第１抵抗部１９の他端部２３の電位が一端部の電位よりも高くなる第２状態に切換わる、および第２状態から第１状態に切換わるスルーレートを小さくすることができる。したがって、第１抵抗部１９に流れる電流の向きをより早く切り換えて、所定の入力信号を伝送することができるので、信号の伝送速度を向上させることができる。
【００５２】
図３は、信号伝送装置１を有する携帯型無線通信装置５０の構成を示すブロック図である。本実施の形態において携帯型無線通信装置５０は、携帯電話装置である。携帯型無線通信装置５０は、前述した信号伝送装置１を含み、これに加えて制御部５１、撮像部５２、表示部５３、操作部５４、通信部５５、音声入力部５６、音声出力部５７およびメモリ５８を含む。
【００５３】
制御部５１は、前述した予め定める第１の処理装置２である中央演算処理装置と、この中央演算処理装置によって実行される制御プログラムが記憶される記憶部とを含む。中央演算処理装置は、記憶部に記憶される制御プログラムを実行することによって、装置の各部、具体的には撮像部５２、表示部５３、操作部５４および通信部５５を制御する。前記制御プログラムには、たとえば電子メールを送受信するためのプログラムが含まれ、制御部３１は、通信部５５および無線基地局を介して電子メールを所定の通知先に送信し、また電子メールを受信することができる。
【００５４】
撮像部５２は、撮像装置であり、カメラ部と、画像処理部とを含む。カメラ部は、撮像レンズと、固体撮像素子である電荷結合素子（Charge Coupled Device：略称ＣＣＤ）イメージセンサ、および相補型モス（Contemporary Metal Oxide Semiconductor：略称ＣＭＯＳ）イメージセンサなどの固体撮像素子とを含む。またカメラ部は、たとえば赤色（Ｒ），緑色（Ｇ）および青色（Ｂ）の３色のカラーフィルタをさらに含む。カメラ部は、被写体で反射されて撮像レンズに入射した光を、前記カラーフィルタを通してＲ，Ｇ，Ｂの３色光にし、Ｒ，Ｇ，Ｂの３色光をそれぞれ前記固体撮像素子によって電気信号に変換する。カメラ部によって撮像された画像の１画素分のデータは、たとえば１６ビットで表される。
【００５５】
画像処理部は、画像増幅部、アナログ／デジタル（Analog／Digital：略称Ａ／Ｄ）変換部および信号処理部を含む。増幅部は、カメラ部から与えられるＲ，Ｇ，Ｂの３色光のそれぞれに対応したアナログで表される電気信号（以後、アナログ信号と記載する）を増幅し、Ａ／Ｄ変換部に与える。Ａ／Ｄ変換部は、増幅部で増幅されたＲ，Ｇ，Ｂに対応したアナログ信号をデジタル信号に変換し、画像データを生成して信号処理部に与える。信号処理部は、Ａ／Ｄ変換部から与えられる画像データに対して、画素の補間処理などの信号処理を行う。また信号処理部は、制御部５１から与えられる指令に基づいて、信号処理を施した画像データを制御部５１に与える。
【００５６】
表示部５３は、前述した予め定める第２の処理装置３である表示装置であり、表示パネルと、画像処理部とを含む。表示パネルは、たとえば所定の表示内容をカラー表示可能であって、たとえば液晶表示パネルおよび有機エレクトロルミネッセンス(ElectroLuminecence：略称ＥＬ)パネルなどによって実現される。画像処理部は、たとえばマイクロコンピュータによって実現される画像処理回路と、画像記憶部とを含む。画像処理回路は、たとえば制御部５１から圧縮された状態で、伝送される画像データを伸張する処理を行う。画像記憶部は、表示パネルに表示する１画面分の画像データを記憶する。表示部５３は、制御部５１からの制御指令に基づいて、与えられた画像データを表示する。
【００５７】
信号伝送装置１は、制御部５１から与えられる画像データを表すデータ信号を含む所定の信号を表示部５３に伝送する。
【００５８】
操作部５４は、複数の操作キーを有する。操作者は、操作キーを操作することによって、情報および処理要求を入力することができる。前記情報は、たとえば電話番号情報および電子メールの文字情報およびなどを含む。また前記処理要求は、たとえば撮像部５２に撮像させる要求、所定の電話番号の相手先に発呼する要求、および電子メールを送信する要求などを含む。
【００５９】
通信部５５は、無線通信部５５Ａとアンテナ部５５Ｂとを含む。無線通信部５５Ａは、無線部と、通信制御部とを含む。無線部は、無線基地局からアンテナ部５５Ｂを介して取得した電波を受信して復調し、文字データ、画像データおよび音声データなどを取得する。無線部は、取得した文字データ、画像データおよび音声データなどを通信制御部に与える。また無線部は、通信制御部から送られてくる文字データ、画像データおよび音声データなどを変調して、電波としてアンテナ部５５Ｂを介して基地局に送信する。
【００６０】
通信制御部は、無線部が復調した文字データおよび画像データなどの受信データを制御部５１に送り、無線部が復調した音声データを音声出力部５７に送る。無線部および通信制御部を介して受信した相手先からの文字データおよび画像データなどの受信データは、制御部５１によってメモリ５８に保存される。また通信制御部は、制御部５１から与えられるメモリ５８に保存される文字データ、画像データなどの送信データ、および音声入力部５６から入力される音声データを所定の通信プロトコルに基づいて無線部に送る。
【００６１】
アンテナ部５５Ｂは、基地局と無線通信を行うときに、音声データ、文字データおよび画像データなどを変調した電波を放出または取得する。音声入力部５６は、たとえばマイクロフォンによって実現され、音声データを入力する。音声出力部５７は、たとえばスピーカによって実現され、無線通信部５５から与えられる音声データに基づいて発音する。
【００６２】
図４は、携帯型無線通信装置５０の外観を示す斜視図である。携帯型無線通信装置５０は、第１可動部６１と第２可動部６２とを含む。第１可動部６１の長手方向の一端部６３と第２可動部６２の長手方向の一端部６４とは、ヒンジ部６５によって各変位軸線Ｌ１まわりに相対的に角変位可能に連結される。第１および第２可動部６１，６２は、大略的に中空箱状に形成される。前記各変位軸線Ｌ１の延びる方向を幅方向とし、長手方向および幅方向に垂直な方向を厚み方向とする。第１可動部６１には、厚み方向の一表面部６６側から表示部５３の表示パネル５３Ａに表示される所定の表示内容が目視可能となるように、表示部５３が配置される。前記表示パネル５３Ａは、第１可動部６１の厚み方向の一表面部６６に設けられる。第２可動部６２の厚み方向一表面部６７には、操作部５４の操作キー５４Ａが露出して配置される。
【００６３】
第１および第２可動部６１，６２は、厚み方向の一表面部６６，６７とが相互に対向する折り畳み状態から、第１可動部６１の厚み方向一表面６８と第２可動部６９の厚み方向一表面６９とが成す角度が、ほぼ１８０°となる展開状態までヒンジ部６５の角変位軸線Ｌ１を中心として相対的に角変位自在とする。
【００６４】
撮像部５２のカメラ部５２Ａは、ヒンジ部６５に設けられ、このヒンジ部６５の角変位軸線Ｌ１まわりに、角変位自在に設けられる。カメラ部５２Ａの撮像レンズは、その光軸が前記角変位軸線Ｌ１に垂直となるように配置される。
【００６５】
前述した第１基板４は、第１筐体６１の内部空間に設けられ、第２基板５は第２筐体６２の内部空間に設けられる。制御部５１の中央演算処理装置は、第１基板４に設けられ、表示部５３は第２基板５に設けられる。前述した信号伝送装置１によって、制御部５１の中央演算処理装置から表示部５３に、所定の信号を伝送することによって、所定の信号をパラレル伝送する場合と比較して、第１基板４と第２基板５とを接続する伝送路の数を少なくすることができる。
【００６６】
前述したフレキシブルプリント配線基板１４は、第１基板４と第２基板５との間にわたってヒンジ部６５を通って設けられる。第１筐体６１と第２筐体６２とが角変位軸線Ｌ１まわりに相対的に角変位することによって、第１基板４と第２基板５とが角変位軸線Ｌ１まわりに相対的に角変位する。このときフレキシブルプリント配線基板１４が撓むことによって、各伝送路６ａ，６ｂによる送信部６と受信部７との接続が保持される。このようなフレキシブルプリント配線基板１４の配線の数は、可及的少なく構成するほうが好ましい。本発明では、パラレルでデータの伝送を行う場合よりも、伝送路の数、つまり配線の数を少なくすることができるので、フレキシブルプリント配線基板１４を小形化することができる。特に携帯型通信装置においては、装置を小形化することができ、これによって携帯性が向上される。
【００６７】
また無線通信部５５Ａによってアンテナ部５５Ｂを介して、所定の情報を送信または受信するときに、アンテナ部５５Ｂから放出される電波が一対の伝送路６ａ，６ｂで受信され、各伝送路６ａ，６ｂに流れる電流にノイズが重畳される場合があるが、前述したように受信バッファ２０は、第１抵抗部１９の両端部間の電位に基づいて所定の出力データを生成するので、ノイズの影響を低減することができる。図３に示すような折り畳み型の携帯電話装置では、第１筐体６１内に設けられる制御部５１と、第２筐体６２内に設けられる表示部５３との間で所定の信号を伝送する場合に、一対の伝送路６ａ，６ｂの線路長が長くなり、この一対の伝送路６ａ，６ｂがアンテナとして機能してしまうおそれがあるが、このような場合であっても伝送される所定の信号が変化してしまうことが防止される。
【００６８】
本実施の形態において、信号伝送装置１は、制御部５１と表示部５３との間で所定の信号を伝送しているが、本発明の他の実施の形態において、信号伝送装置１は、撮像部５２と制御部５１との間で所定の信号を伝送する構成としてもよい。この場合であっても同様の効果を達成することができる。また本実施の形態では信号伝送装置１は、予め定める第１の処理装置２から予め定める第２の処理装置に所定の信号を伝送しているが、これに限らず信号伝送装置１は、２つの装置間における所定の信号の伝送に好適に用いることができる。本発明の実施のさらに他の形態において、携帯型無線通信装置５０は、たとえばＰＨＳ（Personal Handyphone System）、および無線通信機能を有するＰＤＡ（Personal
Digital Assistant）などであってもよい。この場合においても同様な効果を達成することができる。また本発明の信号伝送装置１は、携帯型無線通信装置５０だけでなく、パーソナルコンピュータなどの情報処理装置に設けられてもよい。
【００６９】
本実施の形態では、第１コネクタ部１２および第２コネクタ部１３によって、第１プリント配線部９ａ，９ｂおよび第２プリント配線部１０ａ，１０ｂと、配線接続部１１ａ，１１ｂとを着脱自在に連結しているが、本発明の実施のさらに他の形態において、第１プリント配線部９ａ，９ｂおよび第２プリント配線部１０ａ，１０ｂと、配線接続部１１ａ，１１ｂとは、たとえばはんだなどによって固定して連結されてもよい。
【００７０】
図５は、本発明の実施のさらに他の形態の信号伝送装置７１を有する携帯型無線通信装置７２の構成を模式的に示す図である。信号伝送装置７１は、予め定める第１の処理装置２から、予め定める第２の処理装置３に所定の信号を伝送する。本実施の形態では予め定める第１の処理装置２は、撮像装置であり、予め定める第２の処理装置３はＣＰＵおよびＣＰＵの周辺装置を含む。前記ＣＰＵの周辺装置は、ＦＩＦＯ（Fast In Fast Out）バッファメモリを含む。本実施の形態の信号伝送装置７１は、図１に示す前述した実施の形態の信号伝送装置１と同様な構成であり、信号伝送装置１に対応する部分には、同様の符号を付してその説明を省略する。また本実施の形態の携帯型無線通信装置７２は、図３に示す前述した携帯型無線通信装置５０と同様な構成を有し、携帯型無線通信装置５０と同様な部分には同様な参照符号を付してその説明を省略する。
【００７１】
前述の実施の形態において、送信部７と受信部８とは異なる基板に設けられているが、本実施の形態では、送信部７および受信部８が同一の基板７３に設けられる。したがって本実施の形態において一対の伝送路６ａ，６ｂは、基板７２に形成されるプリント配線７３ａ，７３ｂと、このプリント配線７３ａ，７３ｂと送信バッファ１８とを電気的に接続する送信部配線１５ａ，１５ｂと、プリント配線７３ａ，７３ｂと受信バッファ２０とを電気的に接続する受信部配線１６ａ，１６ｂとを含む。
【００７２】
また基板７２には、バス７４が形成される。バス７４は、複数の伝送線を有し、パラレル伝送に用いられる。バス７４には、予め定める第２の処理装置３である中央演算処理装置、操作部５４、通信部５５、およびメモリ５８が接続される。
【００７３】
図５に示すように、予め定める第１の処理装置２である撮像装置をバス７４に接続せず、撮像装置から中央演算処理装置に伝送される所定の信号を信号伝送装置１によって伝送する。これによって、撮像装置によって得られる画像データを中央演算処理装置に伝送するときに、この信号の伝送よってバス７４が占有されることはない。
【００７４】
たとえば撮像装置など、ＣＰＵに対してデータを送るようなデバイスからＣＰＵに伝送されるデータは、シリアルデータとしてＣＰＵの周辺機器である受信用ＦＩＦＯ（Fast
In Fast Out）バッファメモリに一旦蓄えられる。ＣＰＵは前記受信用ＦＩＦＯバッファメモリに蓄えられたデータを任意のタイミングで取り出すことができる。たとえば１画素分の画像データなどの、１つのデータのまとまり単位でＣＰＵが取得するために、撮像装置がバスにアクセスする時間Ｔ１と、ＦＩＦＯデータバッファから取り出す時間Ｔ２とを比較すると、ＦＩＦＯデータバッファから取り出す時間Ｔ２の方が短い。つまり相対的にバス７４の占有時間は、ＣＰＵがＦＩＦＯデータバッファからデータを取り出す方が短くてすむ。またバス７４を介して撮像装置によって撮像された画像データをＣＰＵが直接取り出す場合は、定期的に１つのデータまとまり単位を取り出す必要があるが、データ伝送装置１では、ＦＩＦＯバッファメモリの規定メモリ容量を超えない限り、ＣＰＵは、他の演算処理の合間などの都合の良いタイミングでＦＩＦＯバッファメモリにアクセスし、データを取り出すことが可能となる。したがって、ＣＰＵが、他の演算処理を行うことができる時間を増やすことができ、たとえば撮像装置から画像データを信号伝送装置７１によって伝送中であっても、画像データをバス７４を介してメモリ５８などに記憶させることができ、携帯型無線通信装置７２におけるデータ処理の効率を向上させることができる。
【００７５】
本実施の形態では、撮像装置からＣＰＵにデータを伝送する場合について考えているが、表示装置など、ＣＰＵからデータを送るようなデバイスからＣＰＵにデータを伝送する場合は、前述の撮像装置からＣＰＵにデータが伝送される場合において、データの流れが逆であるだけで同様である。この場合は、表示データを前述の受信バッファＦＩＦＯバッファメモリとは異なる送信ＦＩＦＯバッファメモリに一旦蓄積し、送信ＦＩＦＯバッファメモリの表示データを信号伝送装置７１を介して表示装置に伝送する。これによって、ＣＰＵが、他の演算処理を行うことができる時間を増やして、携帯型無線通信装置７２におけるデータ処理の効率を向上させることができる。
【００７６】
たとえば撮像装置によって撮像された画像データを、バス７４を介して画像データを表示装置に与えるためには、撮像装置からの画像データをＣＰＵがバスを占有して取得し、表示装置にＣＰＵがバス７４を占有して画像データを送出することになるが、前述の構成とすることによって、撮像装置からの画像データを単純に表示装置に表示するのであれば、ＣＰＵの周辺装置である受信用ＦＩＦＯバッファメモリから送信用ＦＩＦＯバッファメモリに単純にデータを転送すればよく、パラレルバス７１をまったく占有せずに処理することが可能となる。これによって、携帯型無線通信装置７２におけるデータ処理の効率をさらに向上させることができる。
【図面の簡単な説明】
【００７７】
【図１】本発明の実施の一形態の信号伝送装置１の構成を模式的に示す図である。
【図２】送信バッファ１８および受信バッファ２０間における所定の信号の伝送を説明する図である。
【図３】信号伝送装置１を有する携帯型無線通信装置５０の構成を示すブロック図である。
【図４】携帯型無線通信装置５０の外観を示す斜視図である。
【図５】本発明の実施のさらに他の形態の信号伝送装置７１を有する携帯型無線通信装置７２の構成を模式的に示す図である。
【符号の説明】
【００７８】
１，７１  信号伝送装置
６ａ，６ｂ  伝送路
７  送信部
８  受信部
１８  送信バッファ
１９  第１抵抗
２０  受信バッファ
２４  第２抵抗
５０，７２  携帯型無線通信装置
【図１】
2005150929.tif 000003
【図２】
2005150929.tif 000004
【図３】
2005150929.tif 000005
【図４】
2005150929.tif 000006
【図５】
2005150929.tif 000007